(57)【特許請求の範囲】
【請求項１】
カーテンレール（１）に取り付けるソケット（１０）と、前記ソケットに結合するヘッド（２０、３０）とからなり、前記ソケットは前記カーテンレールの端部に外嵌する外嵌部（１１）と、前記カーテンレールの端部に内嵌したプラグ（３）の外端面の回り止め（４）と係合する回り止め板部（１２）と、前記回り止め板部の中央に設けた止めねじ用の貫通孔（１４）と、前記外嵌部に続くソケット嵌合部（１５）とを有し、前記ヘッド（２０）は前記ソケット嵌合部と嵌合するヘッド嵌合部（２５）と、前記ヘッド嵌合部に続く意匠部（２１）と、前記意匠部の内面から突出して前記回り止め板部の中央に当接する支柱部（２２）と、前記支柱部にあけられた止めねじをねじ込むための有底孔（２４）とを有することを特徴とするカーテンレール用キャップ。
【請求項２】
ソケット嵌合部（１５）は半球状であり、ヘッド嵌合部（２５）は円形であり、前記ソケット嵌合部に突起（１７）を備えた環状リブ（１６）を設け、前記ヘッド嵌合部に前記突起と嵌合する突起溝（２７、３７）を設けたことを特徴とする請求項１記載のカーテンレール用キャップ。
【請求項３】
ヘッド部（２０）の意匠部（２１）は半球状であることを特徴とする請求項１又は２記載のカーテンレール用キャップ。
【請求項４】
ヘッド部（３０）の意匠部（３１）は下面からフック掛け部（３８）が垂下する円盤状であり、ヘッド嵌合部に環状リブ（１６）にはめる環状溝（３６）が形成されたことを特徴とする請求項１又は２記載のカーテンレール用キャップ。
【発明の詳細な説明】
【０００１】
【発明の属する技術分野】
本発明はパイプ状のカーテンレールの端部を飾るキャップに関する。
【０００２】
【従来の技術】
装飾性に優れたポールからなるパイプ状カーテンレールは、同じく装飾性に優れたキャップが取り付けられる。キャップはカーテンレールの端部にしまりばめで外嵌するが、通常は、カーテンレールの端部に回り止めプラグを内嵌して弾性的に固定し、キャップの根元側外端面に形成して回り止め凹凸を回り止めプラグ外端面の回り止め凹凸にかみ合わせてキャップの回転を規制する。従来のキャップは単一又は複数の部品からなるが、いずれもキャップ全体で１つの装飾意匠を構成していた。
【０００３】
【発明が解決しようとする課題】
従来のキャップは全体で１つの意匠を構成するため、供給者にとっては品揃えの製作費が増大するという問題があり、ユーザーにとっては、時期又は用途に応じて意匠を変えようとすると、備品費が高くなるという問題があった。
本発明はこれらの問題を解決するためになされたものであり、その目的とするところは、一部を交換するだけで、意匠又は用途を変更することができるキャップを提供して、供給者及びユーザーの多様な意匠のキャップを用意するために必要な費用を低減することにある。
【０００４】
【課題を解決するための手段】
前記目的を達成するため、本発明が採用する手段は、キャップを共通の半球状ソケットとそのソケットに面一に嵌着可能な円形の嵌合部を備えたヘッドから構成したことにある。ソケットの回り止め板部の中央に止めねじを通すための貫通孔をあけ、ヘッドの内面中央にソケットの回り止め板部の中央に当接する支柱部を形成し、その支柱部に止めねじをねじ込むための有底孔を設ける。ソケット及び円形嵌合部の内周に相互に嵌合する２つ以上の凹凸部を形成することが望ましい。
【０００５】
キャップの装飾性意匠又は用途に応じた機能性意匠はヘッドの円形嵌合部を除く部分に造形する。キャップの意匠はヘッドを交換することにより、装飾性又は機能性を変更することができる。したがって、供給者は多様なヘッドを用意すれば、品揃えが可能となるから、従来のキャップ全体の品揃えに比べると、費用は大幅に低減する。ユーザーも時期と用途に応じたヘッドのみを用意すればよいから、キャップ全体を用意する費用に比べると、備品費は大幅に低減する。
【０００６】
【発明の実施の形態】
図１ないし図３に示す本発明第１実施例を説明する。
図１はカーテンレール１の端部に取り付けたキャップ２の側面図である。キャップ２の形状は周知の球状であるが、従来の一体構造ではなく、カーテンレール１の端部に外嵌したソケット１０と、そのソケット１０に結合した半球のヘッド２０とからなる。ソケット１０とヘッド２０は結合するから、キャップ２は一体構造の外観を呈する。
【０００７】
図２の分解図に示すように、カーテンレール１の端部には回り止め用のプラグ３を内嵌して弾性的に固定する。プラグ３はその外端面に回り止め４を有する。ソケット１０はカーテンレール１の端部に外嵌する外嵌部１１と、プラグ３の外端面に当接する回り止め板部１２と、その回り止め板部１２の内端面に形成した回り止め凸部１３と、回り止め板部１２の中央にあけた止めねじ用の貫通孔１４と、ヘッド２０と嵌合するソケット嵌合部１５とからなる。ソケット嵌合部１５は環状リブ１６とその環状リブから突出する複数の突起１７を備える。ヘッド２０はソケット１０のソケット嵌合部１５と面一に嵌合する円形のヘッド嵌合部２５と、そのヘッド嵌合部に続く半球状の意匠部２１と、その意匠部の内面中央から突出してソケット１０の回り止め板部１２の中央に当接する支柱部２２と、その支柱部にあけた止めねじ用の有底孔２４とからなる。ヘッド嵌合部２５はソケット嵌合部１５の突起１７と嵌合する突起溝２７を有する。止めねじ２３をソケット１０の貫通孔１４からヘッドの有底孔２４にねじ込み、ソケット１０とヘッド２０を一体に固定する。
【０００８】
図３及び図４に示すように、ソケット１０のソケット嵌合部１５の環状端面には環状リブ１６と、その環状リブから突出する３個の突起１７を形成する。この突起１７は、図４に示すヘッド２０のソケット嵌合部２５に形成した突起溝２７にはまり、環状リブ１６はソケット嵌合部２５の端面に当接する。ヘッド２０の突起溝２７に入ったソケット１０の突起１７はヘッド２０の回転を規制するから、ヘッド２０の姿勢は安定する。止めねじをヘッド２０の有底孔２４から抜くと、ヘッド２０はソケット１０から外れるから、ヘッド２０の交換は容易である。
【０００９】
【実施例】
本発明の第２実施例を図面に基づいて説明する。
図５に示すように、第２実施例のソケット１０は第１実施例のものと同一であるが、ヘッド３０は円盤状であり、下面からフック掛け部３８が垂下する。
図６及び図７に示すように、ヘッド３０のヘッド嵌合部３５は第１実施例と同形同大である。ソケットの環状リブと突起がヘッド嵌合部３５の環状溝３６と突起溝３７にはまると、ヘッド３０は回り止めされ、姿勢は安定する。フック掛け部３８を備えた意匠部３１は円盤であり、その内面中央からソケットの回り止め板部中央に当接する支柱部３２が突出する。支柱部３２には止めねじをねじ込む有底孔３４を形成する。止めねじにより、ヘッド３０はソケットに容易に固定することも外すこともできるから、ヘッドの交換は簡単である。例えば、第１実施例のヘッドを第２実施例のヘッドに取り替えると、キャップは装飾性意匠から機能性意匠に変化する。
【００１０】
【発明の効果】
上記のとおり、本発明のキャップは、従来のキャップ全体で１つの意匠を構成していたものとは異なり、カーテンレールに嵌着する半球状のソケットと、そのソケットに止めねじを介して交換可能に脱着されるヘッドからなり、意匠は主としてヘッドによるから、ヘッドを交換するだけで、意匠を自由に変更すること、例えば、フック掛け部のない装飾性意匠からフック掛け部の付いた機能性意匠に変更することが可能となり、キャップの品揃えをするために必要な供給者の費用も、キャップを時期と用途に合わせるために必要な使用者の費用も低減するという格別な効果を奏する。
【図面の簡単な説明】
【図１】本発明の第１実施例のキャップの側面図、
【図２】図１のキャップの分解断面図、
【図３】図２のソケットの嵌合側端面図、
【図４】図２のヘッドの嵌合側端面図、
【図５】第２実施例の図１に相当する図、
【図６】図５のヘッドの断面図、
【図７】図５のヘッドの嵌合側端面図、
【符号の説明】
１：カーテンレール
２：キャップ
３：プラグ
４：回り止め
１０：ソケット
１１：外嵌部
１２：周り止め板部
１３：周り止め凸部
１４：貫通孔
１５：ソケット嵌合部
１６：環状リブ
１７：突起
２０：ヘッド
２１：意匠部
２２：支柱部
２３：止めねじ
２５：ヘッド嵌合部
２７：突起溝
３０：ヘッド
３１：意匠部
３２：支柱部
３４：有底孔
３５：ヘッド嵌合部
３６：環状溝
３７：突起溝
３８：フック掛け部
【図１】
0003755624.tif 000002
【図２】
0003755624.tif 000003
【図３】
0003755624.tif 000004
【図４】
0003755624.tif 000005
【図５】
0003755624.tif 000006
【図６】
0003755624.tif 000007
【図７】
0003755624.tif 000008